(57)【要約】      （修正有）【課題】取り付け穴を開ける必要がない、結合型カメラ付インターホンユニットを提供する。【解決手段】カメラユニット１２の下側、又は上側に適した固定手段を使用してホルダ板１１を取り付ける。垂直スロット１４は、ホルダ板１１の中線に設けられ、略その長さに沿って延び、ホルダ板１１の中央部分に略円形の拡大キャビティ１５を有する。ホルダ板１１を有するカメラユニット１２を取り付け板２１と、インターホンカバー２３からなる既存のインターホンユニットに取りつけるには、インターホンカバー２３を取り外し、取り付けネジ２４を緩める。次に、カメラユニット１２のホルダ板１１がスライドされて、インターホンユニット２２の取り付け板２１と壁３０との間に配置する。ホルダ板１１を有するカメラユニット１２を適宜位置決めし、取り付けネジ２４を締める。次に、インターホンカバー２３を固定する。【選択図】図２ｂ
0003143487.tif 000002
【実用新案登録請求の範囲】
【請求項１】
壁掛け式の結合型カメラ付きインターホンユニットであって、
ホルダ板（１１）が、適した固定手段を使用してカメラユニット（１２）の下側または上側のいずれかに取り付けられ、
垂直スロット（１４）が前記ホルダ板（１１）の中線に設けられて、略その長さに沿って延び、前記ホルダ板（１１）の中央部分に略円形の拡大キャビティ（１５）を有し、
インターホンカバー（２３）が取り外され、取り付けネジ（２４）が緩められた後、前記カメラユニット（１２）に取り付けられた前記ホルダ板（１１）は、スライドして、前記インターホンユニット（２２）の前記取り付け板（２１）と壁（３０）との間に配置され、
前記ホルダ板（１１）が取り付けられた前記カメラユニット（１２）が適宜位置決めされた後、前記取り付けネジ（２４）が締められ、
前記インターホンカバー（２３）が固定される
ことを特徴とする結合型カメラ付きインターホンユニット。
【考案の詳細な説明】
【技術分野】
【０００１】
本考案は、特に、壁掛け式であり、カメラユニットに取り付けられたホルダ板の助けによりカメラユニットをインターホンユニットに取り付け可能な結合型カメラ付きインターホンユニットに関する。
【背景技術】
【０００２】
従来のインターホンユニットは、門またはドアにいる訪問者が家、建物、または部屋の中にいる人と通信できるようにする。インターホンユニットは、本質的に、関連する電子回路と共に、取り付け板およびインターホンカバーを備える。従来、インターホンユニットは壁掛け式である。２つの取り付けネジが利用される。通常、ネジは垂直の直線上に配置され、位置合わせされる。
【０００３】
従来のインターホンユニットの主な欠点は、通信が完全に音声のみであることである。家、建物、または部屋の中にいる人は、訪問者を見ることができなかった。そのため、インターホンユニットを設置した後に、続けてカメラユニットを追加したいという要望がある。現在、このカメラユニットを設置するには、追加の取り付け穴を壁に開ける必要がある。
【考案の開示】
【考案が解決しようとする課題】
【０００４】
したがって、本実用新案は、主な目的として、取り付け穴を開ける必要なく、結合型カメラ付きインターホンユニットを提供する必要がある。
【課題を解決するための手段】
【０００５】
この主な目的は、垂直スロットを有するホルダ板がまず、カメラユニットの下側または上側に取り付けられるか、または固定されることで実現される。ホルダ板を有するカメラユニットをインターホンユニットに取り付けるため、インターホンユニットのインターホンカバーがまず、取り外され、取り付けネジが緩められる。次に、カメラユニットのホルダ板が、インターホンユニットの取り付け板と壁との間に挟まれる。ホルダ板を有するカメラユニットが適宜位置決めされると、取り付けネジが締められる。次に、インターホンカバーが固定される。
【０００６】
本新案の別の目的は、ユーザが結合型カメラ付きインターホンユニットを自分で設置できるようにすることである。
【０００７】
本新案を容易に理解できるように、本実用新案の２つの具体的な実施形態の以下の説明を例として提供する。
添付図面を参照する。
【考案を実施するための最良の形態】
【０００８】
図１ａおよび図１ｂに見られるように、本実用新案の第１の実施形態では、ホルダ板（１１）がカメラユニット（１２）の下側に取り付けられる。ホルダ板（１１）の形状は略矩形である。ホルダ板（１１）の上縁部には、それぞれ穴を有する２つのホルダ突起部（１３）が一体的に設けられる。ネジが使用されて、ホルダ板（１１）がカメラユニット（１２）の下側に取り付けられる。図面には、ネジおよび穴が示される。実際には、ホルダ板（１１）をカメラユニット（１２）に取り付ける他の固定手段がある。ホルダ板（１１）の長さに略沿って中線に延びる垂直スロット（１４）が設けられることに留意することが重要である。垂直スロット（１４）は、壁からの電線を通すようにホルダ板（１１）の中央部分に略円形のキャビティ（１５）を形成するように拡大される。
【０００９】
図２ａおよび図２ｂは、本実用新案の第１の実施形態による取り付けステップを示す。ホルダ板（１１）を有するカメラユニット（１２）をインターホンユニット（２２）に取り付けるには、まず、インターホンユニット（２２）のインターホンカバー（２３）が取り外され、取り付けネジ（２４）が緩められる。これにより、壁（３０）とインターホンユニット（２２）の取り付け板（２１）との間にわずかな空間が生じる。次に、カメラユニット（１２）のホルダ板（１１）をスライドさせて、インターホンユニット（２２）の取り付け板（２１）と壁（３０）との間に挟められる。ホルダ板（１１）を有するカメラユニット（１２）が適宜位置決めされると、取り付けネジ（２４）が締められる。次に、インターホンカバー（２３）が固定される。
【００１０】
本実用新案の第２の実施形態では、ホルダ板（１１）は、図３ａおよび図３ｂに示すように、カメラユニット（１２）の下側ではなく上側に取り付けられる。それに対応して、インターホンユニット（２２）は、図３ｃに示すようにカメラユニット（１２）に取り付けられる。
【００１１】
本実用新案の第１の実施形態では、ホルダ板（１１）は、ネジ手段の助けによりカメラユニット（１２）に取り付けられる。
【００１２】
本実用新案の第２の実施形態では、ホルダ板（１１）はクリップオン手段の助けによりカメラユニット（１２）に取り付けられる。
【図面の簡単な説明】
【００１３】
【図１ａ】本実用新案の第１の実施形態でのホルダ板を使用して取り付けられたカメラユニットの正面斜視図を示す。
【図１ｂ】図１ａに示すようなホルダ板を使用して取り付けられたカメラユニットの背面斜視図を示す。
【図２ａ】カバーが取り付け板から取り外された状態のインターホンユニットの斜視図を示す。
【図２ｂ】図１ａに示すようなカメラユニットのホルダ板の、インターホンユニットの取り付け板と壁との間への取り付けの斜視図を示す。
【図２ｃ】本実用新案の第１の実施形態での取り付け板、ホルダ板、および壁を貫通して取り付けネジを固定する斜視図を示す。
【図２ｄ】本実用新案の第１の実施形態での、ホルダ板がインターホンユニットに取り付けられた状態でのカメラユニットの正面斜視図を示す。
【図３ａ】本実用新案の第２の実施形態での、ホルダ板を使用して取り付けられたカメラユニットの正面斜視図を示す。
【図３ｂ】図３ａに示すようなホルダ板を使用して取り付けられたカメラユニットの背面斜視図を示す。
【図３ｃ】本実用新案の第２の実施形態での、ホルダ板がインターホンユニットに取り付けられた状態のカメラユニットの正面斜視図を示す。
【符号の説明】
【００１４】
１１  ホルダ板
１２  カメラユニット
１３  ホルダ突起部
１４  垂直スロット
１５  キャビティ
２１  取り付け板
２２  インターホンユニット
２３  インターホンカバー
２４  取り付けネジ
３０  壁
【図１ａ】
0003143487.tif 000003
【図１ｂ】
0003143487.tif 000004
【図２ａ】
0003143487.tif 000005
【図２ｂ】
0003143487.tif 000006
【図２ｃ】
0003143487.tif 000007
【図２ｄ】
0003143487.tif 000008
【図３ａ】
0003143487.tif 000009
【図３ｂ】
0003143487.tif 000010
【図３ｃ】
0003143487.tif 000011